(57)【要約】  ＵＬ（アップリンク）チャネルおよびＤＬ（ダウンリンク）チャネルをサポートするのに使用されるチャネル割り当て情報を提供するための方法および無線通信システム。システムは、少なくとも１つのノードＢと、少なくとも１つのＷＴＲＵ（無線送信／受信ユニット）とを含む。ＷＴＲＵは、共通制御チャネル、ＵＬチャネル、およびＤＬチャネルを介して、ノードＢと通信する。ＷＴＲＵは、共通制御チャネルを介して、ノードＢからメッセージを受信する。メッセージは、そのメッセージが、無線リソースをＵＬチャネルに割り当てることを意図されているか、それともＤＬチャネルに割り当てることを意図されているかの指示を含む。ＷＴＲＵは、メッセージが、ＷＴＲＵを宛先としているかどうかを判定し、ＷＴＲＵを宛先としている場合、ＷＴＲＵは、メッセージが、無線リソースをＵＬチャネルに割り当てるためであるか、ＤＬチャネルに割り当てるためであるかを判定する。ＷＴＲＵは、メッセージが、無線リソースをＵＬチャネルに割り当てるためであるか、ＤＬチャネルに割り当てるためであるかに基づいて、適切なアクションを行う。
2007511965.tif 000002
【特許請求の範囲】
【請求項１】
少なくとも１つのノードＢと、少なくとも１つのＷＴＲＵ（無線送信／受信ユニット）とを含む無線通信システムにおいて、ＵＬ（アップリンク）チャネルおよびＤＬ（ダウンリンク）チャネルをサポートするのに使用されるチャネル割り当て情報であって前記ノードＢから前記ＷＴＲＵ（無線送信／受信ユニット）に共通制御チャネルを介して伝送される情報を提供する方法であって、
（ａ）前記ＷＴＲＵが前記ノードＢから前記共通制御チャネルを介してメッセージを受信するステップであって、前記メッセージは前記ＵＬチャネルに無線リソースを割り当てることを意図されているか、それとも前記ＤＬチャネルに無線リソースを割り当てることを意図されているかの指示を前記メッセージが含むステップ、
（ｂ）前記ＷＴＲＵが、前記メッセージは前記ＷＴＲＵを宛先としているかどうかを判定するステップ、
（ｃ）前記ＷＴＲＵが、前記メッセージは前記ＵＬチャネルに無線リソースを割り当てるためのものであるか、それとも前記ＤＬチャネルに無線リソースを割り当てるためのものであるかを判定するステップ、および、
（ｄ）前記ＷＴＲＵが、ステップ（ｃ）における前記判定に基づいて適切なアクションを行うステップ
を含むことを特徴とする方法。
【請求項２】
前記適切なアクションは、前記ＷＴＲＵが前記ＤＬチャネルを介してデータ受信手続きを初期化することを含むことを特徴とする請求項１に記載の方法。
【請求項３】
前記適切なアクションは、前記ＷＴＲＵが前記ＵＬチャネルを介してデータ送信手続きを初期化することを含むことを特徴とする請求項１に記載の方法。
【請求項４】
前記指示は、前記ＵＬチャネルまたは前記ＤＬチャネルのためのチャネル化符号に関するマッピング組合せセットの利用であることを特徴とする請求項１に記載の方法。
【請求項５】
前記指示は、前記ＵＬチャネルまたは前記ＤＬチャネルのためのＷＴＲＵ固有のＣＲＣ（巡回冗長検査）の利用であることを特徴とする請求項１に記載の方法。
【請求項６】
前記ＵＬチャネルのための前記ＷＴＲＵ固有のＣＲＣは、前記ＤＬチャネルのためのＷＴＲＵ固有のＣＲＣが反転されたものであることを特徴とする請求項５に記載の方法。
【請求項７】
ＷＴＲＵ固有のＣＲＣが、前記ＷＴＲＵに割り当てられたＩＤ（識別）を使用して生成されることを特徴とする請求項５に記載の方法。
【請求項８】
アップリンク（ＵＬ）チャネルおよびダウンリンク（ＤＬ）チャネルをサポートするのに使用されるチャネル割り当て情報を提供するための無線通信システムであって、
（ａ）少なくとも１つのノードＢと、
（ｂ）共通制御チャネル、前記ＵＬチャネル、および前記ＤＬチャネルを介して前記ノードＢと通信する少なくとも１つのＷＴＲＵ（無線送信／受信ユニット）と
を備えるシステムにおいて、
（ｉ）前記ＷＴＲＵは、前記ノードＢから前記共通制御チャネルを介してメッセージを受信し、前記メッセージは前記ＵＬチャネルに無線リソースを割り当てることを意図されているか、それとも前記ＤＬチャネルに無線リソースを割り当てることを意図されているかの指示を前記メッセージが含み、
（ii）前記ＷＴＲＵが、前記メッセージは前記ＷＴＲＵを宛先としているかどうかを判定し、
（iii）前記ＷＴＲＵが、前記メッセージは前記ＵＬチャネルに無線リソースを割り当てるためのものであるか、それとも前記ＤＬチャネルに無線リソースを割り当てるためのものであるかを判定し、および、
（iｖ）前記ＷＴＲＵが、前記メッセージは前記ＵＬチャネルに無線リソースを割り当てるためのものであるか、それとも前記ＤＬチャネルに無線リソースを割り当てるためのものであるかに基づいて適切なアクションを行う
ことを特徴とするシステム。
【請求項９】
前記適切なアクションは、前記ＷＴＲＵが前記ＤＬチャネルを介してデータ受信手続きを初期化することを含むことを特徴とする請求項８に記載のシステム。
【請求項１０】
前記適切なアクションは、前記ＷＴＲＵが前記ＵＬチャネルを介してデータ送信手続きを初期化することを含むことを特徴とする請求項８に記載のシステム。
【請求項１１】
前記指示は、前記ＵＬチャネルまたは前記ＤＬチャネルのためのチャネル化符号に関するマッピング組合せセットの利用であることを特徴とする請求項８に記載のシステム。
【請求項１２】
前記指示は、前記ＵＬチャネルまたは前記ＤＬチャネルのためのＷＴＲＵ固有のＣＲＣ（巡回冗長検査）の利用であることを特徴とする請求項８に記載のシステム。
【請求項１３】
前記ＵＬチャネルのための前記ＷＴＲＵ固有のＣＲＣは、前記ＤＬチャネルのためのＷＴＲＵ固有のＣＲＣが反転されたものであることを特徴とする請求項１２に記載のシステム。
【請求項１４】
ＷＴＲＵ固有のＣＲＣが、前記ＷＴＲＵに割り当てられたＩＤ（識別）を使用して生成されることを特徴とする請求項１２に記載のシステム。
【請求項１５】
（ａ）メッセージを受信するための手段であって、前記メッセージはＵＬ（アップリンク）チャネルに無線リソースを割り当てることを意図されているか、それともＤＬ（ダウンリンク）チャネルに無線リソースを割り当てることを意図されているかの指示を前記メッセージが含む手段、
（ｂ）前記メッセージは前記ＷＴＲＵを宛先としているかどうかを判定するための手段、
（ｃ）前記メッセージは前記ＵＬチャネルに無線リソースを割り当てるためのものであるか、それとも前記ＤＬチャネルに無線リソースを割り当てるためのものであるかを判定するための手段、および、
（ｄ）前記メッセージは前記ＵＬチャネルに無線リソースを割り当てるためのものであるか、それとも前記ＤＬチャネルに無線リソースを割り当てるためのものであるかに基づいて適切なアクションを行うための手段
を含むことを特徴とするＷＴＲＵ（無線送信／受信ユニット）。
【請求項１６】
前記適切なアクションは、前記ＷＴＲＵが前記ＤＬチャネルを介してデータ受信手続を初期化することを含むことを特徴とする請求項１５に記載のＷＴＲＵ。
【請求項１７】
前記適切なアクションは、前記ＷＴＲＵが前記ＵＬチャネルを介してデータ送信手続きを初期化することを含むことを特徴とする請求項１５に記載のＷＴＲＵ。
【請求項１８】
前記指示は、前記ＵＬチャネルまたは前記ＤＬチャネルのためのチャネル化符号に関するマッピング組合せセットの利用であることを特徴とする請求項１５に記載のＷＴＲＵ。
【請求項１９】
前記指示は、前記ＵＬチャネルまたは前記ＤＬチャネルのためのＷＴＲＵ固有のＣＲＣ（巡回冗長検査）の利用であることを特徴とする請求項１５に記載のＷＴＲＵ。
【請求項２０】
前記ＵＬチャネルのための前記ＷＴＲＵ固有のＣＲＣは、前記ＤＬチャネルのためのＷＴＲＵ固有のＣＲＣが反転されたものであることを特徴とする請求項１９に記載のＷＴＲＵ。
【請求項２１】
ＷＴＲＵ固有のＣＲＣが、前記ＷＴＲＵに割り当てられたＩＤ（識別）を使用して生成されることを特徴とする請求項１９に記載のＷＴＲＵ。
【請求項２２】
（ａ）メッセージを受信するための手段であって、前記メッセージはＵＬ（アップリンク）チャネルに無線リソースを割り当てることを意図されているか、それともＤＬ（ダウンリンク）チャネルに無線リソースを割り当てることを意図されているかの指示を前記メッセージが含む手段、
（ｂ）前記メッセージが、前記メッセージの所期の宛先で受信されたかどうかを判定するための手段、
（ｃ）前記メッセージが前記ＵＬチャネルに無線リソースを割り当てるためのものであるか、それとも前記ＤＬチャネルに無線リソースを割り当てるためのものであるかを判定するための手段、および、
（ｄ）前記メッセージが前記ＵＬチャネルに無線リソースを割り当てるためのものであるか、それとも前記ＤＬチャネルに無線リソースを割り当てるためのものであるかに基づいて適切なアクションを行うための手段
を含むことを特徴とするＩＣ（集積回路）。
【請求項２３】
前記適切なアクションは、前記ＤＬチャネルを介してデータ受信手続きを初期化することを含むことを特徴とする請求項２２に記載のＩＣ。
【請求項２４】
前記適切なアクションは、前記ＵＬチャネルを介してデータ送信手続きを初期化することを含むことを特徴とする請求項２２に記載のＩＣ。
【請求項２５】
前記指示は、前記ＵＬチャネルまたは前記ＤＬチャネルのためのチャネル化符号に関するマッピング組合せセットの利用であることを特徴とする請求項２２に記載のＩＣ。
【請求項２６】
前記指示は、前記ＵＬチャネルまたは前記ＤＬチャネルのためのＷＴＲＵ固有のＣＲＣ（巡回冗長検査）の利用であることを特徴とする請求項２５に記載のＩＣ。
【請求項２７】
前記ＵＬチャネルのための前記ＷＴＲＵ固有のＣＲＣは、前記ＤＬチャネルのためのＷＴＲＵ固有のＣＲＣが反転されたものであることを特徴とする請求項２６に記載のＩＣ。
【請求項２８】
ＷＴＲＵ固有のＣＲＣは、前記ＷＴＲＵに割り当てられたＩＤ（識別）を使用して生成されることを特徴とする請求項２６に記載のＩＣ。
【請求項２９】
チャネル割り当て情報を提供するためのタイムスロット型無線通信システムにおいて、
（ａ）少なくとも１つのノードＢ、
（ｂ）前記ノードＢを制御するＲＮＣ（無線ネットワークコントローラ）、および、
（ｃ）共通制御チャネル、ＵＬ（アップリンク）チャネル、およびＤＬ（ダウンリンク）チャネルを介して前記ノードＢと通信する少なくとも１つのＷＴＲＵ（無線送信／受信ユニット）を備え、
前記ＲＮＣが前記ＷＴＲＵに、どのタイムスロットＴＴＩ（伝送時間間隔）がＵＬチャネル伝送をサポートするか、またどのタイムスロットＴＴＩが、ＤＬチャネル伝送をサポートするかを示すメッセージを伝送することを特徴とするシステム。
【請求項３０】
周波数分割双方向（ＦＤＤ）システムであることを特徴とする請求項２９に記載のシステム。
【請求項３１】
前記メッセージは、無線リソース制御（ＲＲＣ）コンテキストシグナリングを含むことを特徴とする請求項２９に記載のシステム。
【請求項３２】
高速共通制御チャネル（ＨＳ−ＳＣＣＨ）が、前記ＤＬチャネルをサポートする前記ＴＴＩ内で伝送されることを特徴とする請求項２９に記載のシステム。
【請求項３３】
ＵＬリソース割り当てチャネルが、前記ＵＬチャネルをサポートする前記ＴＴＩ内で伝送されることを特徴とする請求項２９に記載のシステム。
【請求項３４】
前記ＷＴＲＵは、前記メッセージがＤＬ伝送に無線リソースを割り当てるためのものであるか、それともＵＬ伝送に無線リソースを割り当てるためのものであるかを判定することを特徴とする請求項２９に記載のシステム。
【請求項３５】
通信する少なくとも１つのノードＢと、前記ノードＢを制御するＲＮＣ（無線ネットワークコントローラ）と、共通制御チャネル、ＵＬ（アップリンク）チャネル、およびＤＬ（ダウンリンク）チャネルを介して前記ノードＢと通信する少なくとも１つのＷＴＲＵ（無線送信／受信ユニット）とを含むタイムスロット型無線通信システムにおける方法であって、
前記ＲＮＣが、どのタイムスロットＴＴＩ（伝送時間間隔）がＵＬチャネル伝送をサポートするか、またどのタイムスロットＴＴＩが、ＤＬチャネル伝送をサポートするかを示すメッセージを前記ＷＴＲＵに伝送するステップを含むことを特徴とする方法。
【請求項３６】
前記システムは周波数分割双方向（ＦＤＤ）システムであることを特徴とする請求項３５に記載の方法。
【請求項３７】
前記メッセージは無線リソース制御（ＲＲＣ）コンテキストシグナリングを含むことを特徴とする請求項３５に記載の方法。
【請求項３８】
前記ＤＬチャネルをサポートする前記ＴＴＩ内で、ＨＳ−ＳＣＣＨ（高速共通制御チャネル）を伝送するステップをさらに含むことを特徴とする請求項３５に記載の方法。
【請求項３９】
前記ＵＬチャネルをサポートする前記ＴＴＩ内で、ＵＬリソース割り当てチャネルを伝送するステップをさらに含むことを特徴とする請求項３５に記載の方法。
【請求項４０】
前記ＷＴＲＵが、前記メッセージが前記ＤＬ伝送に無線リソースを割り当てるためのものであるか、それとも前記ＵＬ伝送に無線リソースを割り当てるためのものであるかを判定するステップをさらに含むことを特徴とする請求項３５に記載の方法。
【発明の詳細な説明】
【技術分野】
【０００１】
本発明は、無線通信システムに関する。より詳細には、本発明は、アップリンク伝送およびダウンリンク伝送をサポートするチャネル割り当て情報を提供するための方法およびシステムに関する。
【背景技術】
【０００２】
ユニバーサルモバイルテレコミュニケーションシステム（ＵＭＴＳ）リリース５（Ｒ５）広帯域符号分割多重アクセス（Ｗ−ＣＤＭＡ）システムにおいてダウンリンク（ＤＬ）効率およびＤＬスループットを向上させるため、高速ダウンリンクパケットアクセス（ＨＳＤＰＡ）が開発されている。ＵＭＴＳ  Ｒ９９／Ｒ４と比べたＨＳＤＰＡの重要な利点は、ＤＬにおける動的リンク適応、および迅速なレイヤ１Ｈ−ＡＲＱ（ハイブリッド自動再送要求）である。迅速なリンク適応は、高速のレイヤ１ＤＬシグナリングチャネルに結合されて、基地局におけるＤＬ伝送の迅速なスケジューリングによって達せられる。高速共用制御チャネル（ＨＳ−ＳＣＣＨ）であるシグナリングチャネルは、無線リソース割り当て情報を複数の無線送信／受信ユニット（ＷＴＲＵ）に伝送する。
【０００３】
周波数分割双方向（ＦＤＤ）では、ＨＳ−ＳＣＣＨが、３つのタイムスロットＴＴＩ（伝送時間間隔）中に拡散率（ＳＦ）＝１２８のチャネル化符号を使用して送信される。ＨＳ−ＳＣＣＨは、データが、特定の時間オフセットの後、高速ダウンリンク共用チャネル（ＨＳ−ＤＳＣＨ）上でＷＴＲＵに伝送されることを示す。ＨＳ−ＳＣＣＨは、以下の情報、すなわち、１）チャネル化符号セット情報（７ビット）、２）変調スキーム情報（１ビット）、３）トランスポートブロックサイズ情報（６ビット）、４）Ｈ−ＡＲＱプロセス情報（３ビット）、５）冗長性および配置（constellaton）のバージョン（３ビット）、６）新規データインジケータ（１ビット）、および７）ＷＴＲＵ  ＩＤ（１６ビット）を伝送する。
【０００４】
ＨＳ−ＳＣＣＨは、３つのタイムスロット（２ミリ秒のＴＴＩ）にわたって送信され、２つのフィールドから成る。フィールド１（第１のタイムスロット）はチャネル化符号マッピングおよび変調フォーマット情報を含み、フィールド２（第２のタイムスロットおよび第３のタイムスロット）は、トランスポートブロックサイズ、Ｈ−ＡＲＱ情報、冗長性バージョン、および新規データインジケータ、並びにＷＴＲＵ固有の巡回冗長検査（ＣＲＣ）を含む。
【０００５】
これとは別に、高性能アップリンク（ＥＵ）がアップリンク（ＵＬ）効率およびＵＬスループットを向上させる。Ｈ−ＡＲＱおよびノードＢスケジューリングは、ＥＵの一環である。ＨＳＤＰＡと同様に、ＥＵ動作のための新たな共用ＤＬ制御チャネルが、ＵＬ伝送のためのＵＬ無線リソースの迅速で動的な割り当てを提供する。ＥＵのための共用ＤＬ制御チャネルは、ＵＬ伝送のための、短い割り当て待ち時間、および効率的な無線リソース管理を確実にする必要がある。以降、ＥＵのための共用ＤＬ制御チャネルを、単にＵＬリソース割り当てチャネルと呼ぶ。
【０００６】
ＥＵをＨＳＤＰＡとともに実施するため、ＥＵのための別のＵＬリソース割り当てチャネルをＨＳＤＰＡのための既存のＨＳ−ＳＣＣＨの上に導入することもできる。このため、別個のＳＦ＝１２８ＤＬチャネルセットをＵＬリソース割り当てチャネルとして導入することが可能である。このアプローチでは、ＷＴＲＵは、ＨＳＤＰＡ動作のためのＨＳ−ＳＣＣＨに加えて、１つまたは複数のＵＬリソース割り当てチャネルを監視することを要求される。このアプローチは、概念上、単純であるが、ＷＴＲＵの複雑さ、ＷＴＲＵバッテリ効率、およびＤＬ拡散符号使用などの多くの欠点が、このスキームには存在する。
【発明の開示】
【発明が解決しようとする課題】
【０００７】
したがって、ＥＵ動作とＨＳＤＰＡ動作をサポートするための効率的なＥＵチャネル割り当てスキームが必要である。
【課題を解決するための手段】
【０００８】
一実施形態では、本発明は、ＵＬチャネルおよびＤＬチャネルをサポートするためのチャネル割り当て情報を提供するための方法および無線通信システムである。システムは、少なくとも１つのノードＢと、少なくとも１つのＷＴＲＵとを含む。ＷＴＲＵは、共通制御チャネル、ＵＬチャネル、およびＤＬチャネルを介して、ノードＢと通信する。ＷＴＲＵは、共通制御チャネルを介して、ノードＢからメッセージを受信する。メッセージは、そのメッセージが、無線リソースをＵＬチャネルに割り当てることを意図されているか、それともＤＬチャネルに割り当てることを意図されているかの指示を含む。ＷＴＲＵは、メッセージが、ＷＴＲＵを宛先としているかどうかを判定し、ＷＴＲＵを宛先としている場合、ＷＴＲＵは、メッセージが、無線リソースをＵＬチャネルに割り当てるためであるか、ＤＬチャネルに割り当てるためであるかを判定する。ＷＴＲＵは、メッセージが、無線リソースをＵＬチャネルに割り当てるためであるか、ＤＬチャネルに割り当てるためであるかに基づいて、適切なアクションを行う。
【０００９】
別の実施形態では、本発明は方法およびタイムスロット型（time-slotted）無線通信システムである。システムは、少なくとも１つのノードＢと、ノードＢを制御するＲＮＣ（無線ネットワークコントローラ）と、共通制御チャネルを介してノードＢと通信する少なくとも１つのＷＴＲＵと、ＵＬチャネルと、ＤＬチャネルとを含む。ＲＮＣは、どのタイムスロットＴＴＩがＵＬチャネル伝送をサポートするか、またどのタイムスロットＴＴＩがＤＬチャネル伝送をサポートするかを示すメッセージをＷＴＲＵに伝送する。
【００１０】
本発明のより詳細な理解は、例として与えられ、添付の図面と併せて理解されるべき、好ましい実施例の以下の説明から得ることができる。
【発明を実施するための最良の形態】
【００１１】
本発明を、すべての図で同様の符号が同様の要素を表す図面を参照して説明する。
【００１２】
以降、「ＷＴＲＵ」という用語には、ユーザ機器、移動局、固定加入者ユニットまたは移動加入者ユニット、ポケットベル、或いは無線環境で動作することができる他の任意のタイプのデバイスが含まれるが、以上には限定されない。以降、言及する場合、「ノードＢ」という用語には、基地局、サイトコントローラ、アクセスポイント、或いは無線環境における他の任意のタイプのインターフェースデバイスが含まれるが、以上には限定されない。
【００１３】
本発明は、ＵＭＴＳ−ＴＤＤ（時間分割２重）およびＵＭＴＳ−ＦＤＤ、ＴＤＳＣＤＭＡ（Time Division Synchronous Code Division Multiple Access）、符号分割多重アクセス２０００（ＣＤＭＡ２０００）、およびＣＤＭＡ全般、或いは他の任意のタイプの無線通信システムなどの、任意のタイプの無線通信システムに適用可能である。
【００１４】
本発明の諸特徴は、ＩＣ（集積回路）に組み込んでも、多数の互いに接続するコンポーネントを含む回路において構成してもよい。
【００１５】
本発明は、ＨＳＤＰＡおよびＥＵに関連して説明し、ＨＳＤＰＡは、ＤＬと、ＥＵは、ＵＬと、それぞれ互いに区別なく使用する。しかし、ＨＳＤＰＡおよびＥＵへの言及は、単に、本発明の好ましい実施形態を説明するためであり、本発明の教示は、ＵＬ伝送とＤＬ伝送の両方に関するチャネル割り当て情報を同時に伝送するために共通制御チャネルを利用するための任意のシステムに適用できることを理解されたい。
【００１６】
図１は、本発明によるＵＬ動作およびＤＬ動作をサポートするためのシステム１００のブロック図である。システム１００は、ＲＮＣ１０２と、ノードＢ１０４と、ＷＴＲＵ１０６とを含む。ノードＢ１０４は、ＲＮＣ１０２によって制御され、ＷＴＲＵ１０６からのＵＬ伝送と、ＷＴＲＵ１０６へのＤＬ伝送の両方に無線リソースを動的に割り当てる。ノードＢ１０４とＷＴＲＵ１０６の間で３つのチャネルが確立される。そのチャネルは、ＤＬチャネル１０８、ＵＬチャネル１１０、および共通制御チャネル１１２である。共通制御チャネル１１２は、ＵＬ伝送とＤＬ伝送の両方に関するチャネル割り当て情報の伝送のために利用される。
【００１７】
ノードＢ１０４は、ＨＳＰＤＡ動作およびＥＵ動作をサポートするように構成される。したがって、各ノードＢ１０４は、ＷＴＲＵ１０６へのＤＬ伝送、およびＷＴＲＵ１０６からのＵＬ伝送に、それぞれ、ＨＳ−ＤＳＣＨチャネルおよびＥＵチャネルを介して、無線リソースを動的に割り当てる。ＨＳ−ＤＳＣＨとＥＵの両方に関する無線リソース割り当て情報は、共通制御チャネル１１２を介して伝送される。
【００１８】
本発明によれば、共通制御チャネル１１２はＵＬ伝送とＤＬ伝送の両方に関する無線リソース割り当て情報の伝送のために利用され、無線リソース割り当てがＵＬ伝送に対してであるか、ＤＬ伝送に対してであるかを区別する特定の指示が提供される。したがって、共通制御チャネル１１２は、ＤＬ伝送とＵＬ伝送の両方に関して同時に、ＳＦ＝１２８チャネル化符号セットによって定義された共用ＤＬ無線リソース空間を占有し、ＷＴＲＵ１０６は、特定の伝送が無線リソースをＤＬ伝送に割り当てることを意図されているか、それともＵＬ伝送に割り当てることを意図されているかを認識するように構成される。
【００１９】
本発明の第１の実施形態によれば、特定の無線リソースが、ＵＬ伝送に割り当てられるという指示は、現在のＨＳＤＰＡにおけるチャネル化符号セットマッピングにおいて不可能な組合せの１つまたは複数を使用して与えられる。図２は、ＨＳＤＰＡにおいて現在、使用されているチャネル化符号セットマッピングに関するルックアップテーブルである。ＨＳ−ＳＣＣＨは、７ビットを使用して、対応するＨＳ−ＤＳＣＨのために、どのＳＦ＝１６チャネル化符号が使用されるかをＷＴＲＵ１０６に知らせる。１２８の可能な組合せの中で、８つの組合せが、現在、ＨＳＤＰＡにおいて使用されていない（図２で「冗長な（redundant）領域」というラベルを付けた領域を参照されたい）。８つの未使用の組合せの１つまたは複数が、無線リソースを割り当てるため、または復調された伝送が、ＵＬ伝送向けであり、ＤＬ伝送向けではないことを示すために使用される。したがって、ＷＴＲＵ１０６が、チャネル化符号セットが、図２の不可能な組合せの１つと一致すると判定した場合、ＷＴＲＵ１０６は、その伝送が、ＤＬ伝送ではなく、ＵＬ伝送に対する無線リソースの割り当てのためであること、つまり、そのチャネル化符号セットに対応する符号が、ＵＬ伝送に割り当てられることを認識する。
【００２０】
本発明の第２の実施形態によれば、特定の無線リソースがＵＬ伝送に割り当てられるという指示が、ＷＴＲＵ固有のＣＲＣによって与えられる。現在のＨＳＤＰＡ仕様の下では、ＷＴＲＵ固有のＣＲＣは、ＨＳ−ＳＣＣＨフィールド２内に含まれる。１６ビットＣＲＣが、伝送されるべき情報から計算されて、計算されたＣＲＣが、一意の１６ビットＷＴＲＵ  ＩＤ（識別）でマスクされる。マスクされたＣＲＣが、ＷＴＲＵ固有のＣＲＣとして、ＷＴＲＵ１０６に伝送される。
【００２１】
本発明の第２の実施形態によれば、このＷＴＲＵ固有のＣＲＣが、独特の決定論的な形で変更されて、復調された伝送が、ＤＬ伝送向けではなく、ＵＬ伝送向けであることが示される。例えば、ＨＳＤＰＡのために計算されたＷＴＲＵ固有のＣＲＣが、ＥＵのために反転されてから、チャネル符号化が実行される。ＷＴＲＵ１０６は、受信された伝送のＣＲＣを実行する際に、好ましくは同時に、２つの異なる比較を実行する。ＷＴＲＵ１０６が、ＷＴＲＵ固有のＣＲＣを使用して、受信された伝送を復号化することに成功した場合、ＷＴＲＵ１０６は、その伝送が、ＨＳＤＰＡ向けであることを認識し、ＷＴＲＵ１０６が、反転されたＷＴＲＵ固有のＣＲＣを使用して、受信された伝送を復号化することに成功した場合、ＷＴＲＵ１０６は、その伝送が、ＥＵ向けであることを認識する。
【００２２】
本発明の第３の実施形態によれば、特定の無線リソースがＥＵに割り当てられるという指示が、ＷＴＲＵ固有のマスキングシーケンスを使用して与えられる。現在のＨＳＤＰＡ仕様の下では、４０ビットシーケンスのフィールド１が、１６ビットのＷＴＲＵ  ＩＤから生成された４０ビットのＷＴＲＵ固有の中間符号シーケンスでマスクされる。
【００２３】
第３の実施形態によれば、フィールド１に対するＷＴＲＵ固有のマスキングは独特の決定論的な形で変更されて、伝送がＨＳＤＰＡ向けではなく、ＥＵ向けであることが示される。例えば、第２の実施形態において生成される反転された１６ビットＣＲＣを使用して、４０ビット長のマスキングシーケンスを導出することができる。ＷＴＲＵ１０６が、ＷＴＲＵ固有のマスキングシーケンスを使用して受信された伝送を復号化することに成功した場合、ＷＴＲＵ１０６は、その伝送がＨＳＤＰＡ向けであることを認識し、ＷＴＲＵ１０６が、反転されたＷＴＲＵ固有のマスキングシーケンスを使用して、受信された伝送を復号化することに成功した場合、ＷＴＲＵ１０６は、その伝送がＥＵ向けであることを認識する。
【００２４】
この方法を使用して、ＷＴＲＵ１０６は、ＨＳ−ＳＣＣＨ伝送のフィールド１だけを受信した後、ＥＵチャネル割り当てが伝送されたのか、またはＨＳＤＰＡチャネル割り当てが伝送されたのかの区別を行うことができる。
【００２５】
これとは別に、ある特定のＷＴＲＵ  ＩＤが別のＷＴＲＵ  ＩＤとぶつからないように、ＷＴＲＵ  ＩＤがネットワークによって割り当てられる。例えば、第１のＷＴＲＵの反転されたＥＵ用のＩＤを使用して、第２のＷＴＲＵのＨＳＤＰＡサービスを示すことができる。したがって、ＵＬリソース割り当てチャネルの存在とＨＳ−ＳＣＣＨの存在の同時の検出が、容易にされる。
【００２６】
本発明の第４の実施形態によれば、特定の無線リソースがＥＵに割り当てられるという指示が、ＲＲＣ（無線リソース制御）コンテキストシグナリングによって与えられる。好ましくは、ノードＢ１０４が、ＵＬ無線リソース割り当ての伝送と、ＤＬ無線リソース割り当ての伝送に、別々の無線リソースを割り当てる。これとは別に、ＲＮＣ１０２がＲＲＣシグナリングメッセージを使用することにより、ＵＬ無線リソース割り当ての伝送とＤＬ無線リソース割り当ての伝送に別々の無線リソースを割り当てる。
【００２７】
例えば、ＲＮＣ１０２からのＲＲＣシグナリングメッセージが、どのＴＴＩ内で、ＨＳ−ＳＣＣＨまたはＵＬリソース割り当てチャネルを予期すべきかをＷＴＲＵ１０６に知らせることが可能である。現在のＲ５  ＨＳＤＰＡ仕様の下では、１５のタイムスロットが、１つのフレームを含み、３つのタイムスロットが、１つのＴＴＩを含む。「偶数」ＴＴＩが、例えば、タイムスロット２、４、６、８、１０、１２、および１４を含むことが可能であり、「奇数」ＴＴＩが、例えば、タイムスロット１、３、５、７、９、１１、１３、および１５を含むことが可能である。
【００２８】
本発明によれば、「偶数」ＴＴＩ内の伝送が、ＨＳ−ＳＣＣＨ向けであり、「奇数」ＴＴＩ内の伝送が、ＵＬリソース割り当てチャネル向けであることを示すシグナルをＲＲＣが伝送する。ＨＳ−ＳＣＣＨ向けの伝送が、「奇数」ＴＴＩ内で伝送されることを許さないことにより、Ｒ５  ＷＴＲＵに対する後方互換性（backwards compatibility）を確実にすることができる。同一のＳＦ＝１２８リソースセットを、ＨＳ−ＳＣＣＨとＵＬリソース割り当てチャネルに関して使用することができる。
【００２９】
本発明の第５の実施形態によれば、特定の無線リソースがＥＵに割り当てられるという指示が、関連するＤＣＨ（ＤＬ専用チャネル）上のレイヤ１指示によって与えられる。関連するＤＬ  ＤＣＨ上の１つまたは複数のビットを使用して、固定の、あらかじめ決められたタイミング関係によって、ＨＳ−ＳＣＣＨではなく、ＵＬリソース割り当てチャネルが間もなく出現することが示される。
【００３０】
図３は、本発明によるＵＬチャネル割り当てシグナリングを実施するための方法ステップを含むプロセス２００のフローチャートである。プロセス２００が開始（ステップ２０２）された後、無線リソース割り当てのためのメッセージが、共通制御チャネルを介して、ノードＢ１０４からＷＴＲＵ１０６に伝送される。ＷＴＲＵ１０６は、所定のＴＴＩごとに、例えば、毎２ミリ秒に、メッセージを受信し、所定の符号を使用して復号化することを行う（ステップ２０４）。次に、ＷＴＲＵ１０６は、そのメッセージが、ＷＴＲＵ１０６を宛先としているかどうかを判定する（ステップ２０６）。ＷＴＲＵ固有のＣＲＣが、その目的で利用される。ＷＴＲＵ１０６が、そのメッセージが、ＷＴＲＵ１０６を宛先としていると判定した場合、ＷＴＲＵ１０６は、前述した本発明の諸実施形態の１つを実施して、メッセージが、ＤＬ伝送に対する無線リソースの割り当てのためであるか、ＵＬ伝送に対する無線リソースの割り当てのためであるかを判定する（ステップ２０８）。次に、ＷＴＲＵ１０６は、ステップ２０８における判定に応じて、適切なアクションを行って（ステップ２１０）、ＤＬチャネルを介してデータパケットを受信するか、またはＵＬチャネルを介してデータパケットを送信する。例えば、ＷＴＲＵ１０６は、ＤＬチャンネル１０８を介してデータ受信手続きをいつ初期化すべきか、またはＵＬチャンネル１１０を介してデータ送信手続きをいつ初期化すべきかを正確に認識することができる。現行では、ＨＳＤＰＡのためのＨＳ−ＳＣＣＨは、ＷＴＲＵに対する着信データパケットを、固定の２スロットのオフセットで通知するのに対して、本発明は、ＷＴＲＵが、ＵＬを介して、いつパケットを送信する機会を有するか（例えば、現時点から４スロット後に）をＷＴＲＵに知らせることができる。
【００３１】
本発明を、好ましい諸実施形態に関連して詳細に示し、説明してきたが、以上に説明した本発明の範囲を逸脱することなく、諸実施形態において形態および詳細の様々な変更を行ってもよいことが、当業者には理解されよう。
【図面の簡単な説明】
【００３２】
【図１】本発明に従って動作する無線通信システムを示すブロック図である。
【図２】図１のシステムと一緒に利用される、ＨＳＤＰＡにおけるチャネル化符号セットマッピングに関するルックアップテーブルである。
【図３】本発明によるアップリンクチャネル割り当てシグナリングを実施するための方法ステップを含むプロセスを示すフローチャートである。
【図１】
2007511965.tif 000003
【図２】
2007511965.tif 000004
【図３】
2007511965.tif 000005
【国際調査報告】
2007511965.tif 000006